(57)【要約】【課題】本発明は、重量部材による強い遠心力によって輪が設けられた部分にのみ当たりながら、フープが身体の周囲を回ることになり、この場合、上記重量部材の強い遠心力によって身体と強く密着された輪が転がることにより、基本的に腰運動の効果と共に、輪が回転しながら身体の腰、脇、腹部位を連続的に押しながら通ることになり、脂肪質を除去する効果を奏し、面白みとその効果を味わうことができるようにし、フープの全体外形を多様にデザインして商品性を高めることが可能なフラフープを提供するものである。【解決手段】フープ１０と、上記フープ１０の全周のうち、一定の部分に多数設けられる輪部材２０と、上記多数設けられた輪部材２０などの真ん中から反対側のフープ１０に設けられてフープ１０に遠心力を提供し、その遠心力によって上記輪部材２０を構成する輪が身体に密着されて転がるようにする重量部材３０とから構成されたことを特徴とする。【選択図】図１
2004521687.tif 000002
【特許請求の範囲】
【請求項１】
フープと；
前記フープの全周のうち、一定の部分に多数設けられる輪部材と；
前記多数設けられた輪部材などの真ん中から反対側のフープに設けられてフープに遠心力を提供し、その遠心力によって前記輪部材を構成する輪が身体に密着されて転がるようにする重量部材とから構成されたことを特徴とするフラフープ。
【請求項２】
第１のフープと第２のフープが長さ調節ねじで結合され、周縁の大きさ調節が可能なフープと；
前記第２のフープに多数設けられる輪部材と；
前記第２のフープに多数設けられた輪部材などの真ん中から反対側の第１のフープに設けられてフープに遠心力を提供し、その遠心力によって前記輪部材を構成する輪が身体に密着されて転がるようにする重量部材とから構成されたことを特徴とするフラフープ。
【請求項３】
前記輪部材はフープに固定される支持桿と、前記支持桿に固定ピンとして回転可能に固定される輪とから構成されたことを特徴とする請求項１に記載のフラフープ。
【請求項４】
前記輪部材は一対のチェーン型支持桿などがピンとして連結されてチェーン形態をなすことになり、これら一対のチェーン型支持桿の間には輪が軸として回転可能に設けられて構成されていることを特徴とする請求項２に記載のフラフープ。
【請求項５】
前記輪部材を構成する輪には指圧突起が形成されたことを特徴とする請求項３、または請求項４に記載のフラフープ。
【請求項６】
前記重量部材の内容物は水であることを特徴とする請求項１、または請求項２に記載のフラフープ。
【請求項７】
前記重量部材の内容物は砂であることを特徴とする請求項１、または請求項２に記載のフラフープ。
【請求項８】
前記輪部材はフープから分離可能に設けられたことを特徴とする請求項１、または請求項２に記載のフラフープ。
【請求項９】
前記フープは円形であることを特徴とする請求項１、または請求項２に記載のフラフープ。
【請求項１０】
前記フープは楕円形であることを特徴とする請求項１、または請求項２に記載のフラフープ。
【請求項１１】
前記フープはアルファベットディー（Ｄ）型であることを特徴とする請求項１、または請求項２に記載のフラフープ。
【請求項１２】
前記輪部材をフープから分離させ、その両端にマッサージ用取っ手を設けてマッサージ道具として使用することを特徴とする請求項１、または請求項２に記載のフラフープ。
【発明の詳細な説明】
【技術分野】
【０００１】
本発明は、フラフープに関し、特にフープの全周のうち、一定の部分に多数設けられる輪部材と、上記輪部材などの真ん中から反対側のフープに設けられてフープに遠心力を提供する重量部材とから構成され、使用者がフラフープを腰で回す間、上記重量部材の遠心力によって重量部材が位置されたフープ側が常に身体の一番遠い外側に位置した状態で身体周囲を回るようにし、輪部材を構成する輪などが身体部位に密着されて転がりながら、腰運動と下半身運動及び腰と脇及び腹部位の脂肪を分解させることができるようにするフラフープに関する。
【背景技術】
【０００２】
本発明者は、女性たちが各種の瓶（ビール瓶、焼酎瓶）とか、丸い形態の道具をふくらはぎに当てて転がし、ふくらはぎの脂肪を分解させることにより、ふくらはぎをしなやかにする女性たちを見てアイディアを得た。
【０００３】
既存のフラフープはフープの周縁の内径全体が使用者の腰と脇、腹部位に均等に当たりながらフープが回る形態であって、これは単純に腰運動を目的としている。
【０００４】
特許文献１乃至特許文献３に開示された技術は、フープに重量体を含ませて遠心力を増大させることにより、回転中心である腰に強い衝撃を与えて単純に腰運動効果を増加させるものである。
【０００５】
また、腰運動と共に腰に按摩効果を与えるために、フープ内径全体に回転突起、または回転ボールを形成させた特許文献４及び特許文献５が開示されているが、このフラフープを回せば、フープは回転遠心力によって回るが、内径全体に設けられた回転突起、または回転ボールは実質的にほとんど回転されず、但し、フープの回転遠心力によって回転突起、または回転ボールが身体部位をわずかに圧迫するだけである。これに従って、既存の突起がフープ内径全体に固定形態として設けられたものと同じである。
【特許文献１】大韓民国登録実用新案第２０−０１７３０７２号明細書（１９９９．１２．１６）
【特許文献２】大韓民国登録実用新案第２０−０１６５１９４号明細書（１９９９．１０．１４）
【特許文献３】大韓民国実用新案出願公開第１９９２−０００８４３４号明細書（１９９２．１１．３０）
【特許文献４】大韓民国特許出願公開第２０００−００７２０１６号明細書（２０００．１２．０５）
【特許文献５】大韓民国特許出願公開第２０００−００６３３７２号明細書（２０００．１１．０６）
【発明の開示】
【発明が解決しようとする課題】
【０００６】
従って、本発明は、フープの全周のうち、一定の部分にのみ多数の輪部材を設け、上記多数の輪部材などの真ん中からフープの反対側にフープの遠心力を提供する重量部材を設けることにより、フープの全周が身体部位に当たる既存のフラフープとは異なり、重量部材による強い遠心力によってフープの全周が使用者の腰と脇、腹部分に当たらず、フープの一定の部分に設けられた輪部分にのみ使用者の身体が当たりながらフープが身体の周囲を回り、この時、上記重量部材の強い遠心力によって身体と強く密着された輪が転がることにより、基本的に腰運動の効果と共に、輪が回転しながら身体部位を連続的に押しながら通ることになり、脂肪質を除去する効果を奏し、既存の両脇、腹、腰がフープ内径全体に当接するフラフープに比べて面白みと効果を味わうことができるようにし、輪と重量部材を設けることにより、フープの全体外形を多様にデザインして商品性を高めることができる、新たなフラフープを提供する点にその目的がある。
【課題を解決するための手段】
【０００７】
上記の目的を達成するために本発明は、フープと、前記フープの全周のうち、一定の部分に多数設けられる輪部材と、前記多数設けられた輪部材などの真ん中から反対側のフープに設けられてフープに遠心力を提供し、その遠心力によって前記輪部材を構成する輪が身体に密着されて転がるようにする重量部材とから構成されたことを特徴とする。
【０００８】
また、本発明は、第１のフープと第２のフープが長さ調節ねじで結合され、周縁の大きさ調節が可能なフープと、前記第２のフープに多数設けられる輪部材と、前記第２のフープに多数設けられた輪部材などの真ん中から反対側の第１のフープに設けられてフープに遠心力を提供し、その遠心力によって前記輪部材を構成する輪が身体に密着されて転がるようにする重量部材とから構成されたことを特徴とする。
【０００９】
前記輪部材はフープに固定される支持桿と、前記支持桿に固定ピンとして回転可能に固定される輪とから構成されたことを特徴とする。
【００１０】
前記輪部材は一対のチェーン型支持桿などがピンとして連結されてチェーン形態をなすことになり、これら一対のチェーン型支持桿の間には輪が軸として回転可能に設けられて構成されていることを特徴とする。
【００１１】
前記輪部材はフープから分離可能に設けられたことを特徴とする。
【００１２】
前記輪部材を構成する輪には指圧突起が形成されたことを特徴とする。
【００１３】
前記重量部材の内容物は水であることを特徴とする。
【００１４】
前記重量部材の内容物は砂であることを特徴とする。
【００１５】
前記フープは円形、楕円形、アルファベットディー（Ｄ）型、三角形及び多角形のうち、いずれかとしたことを特徴とする。
【００１６】
前記輪部材をフープから分離させ、その両端にマッサージ用取っ手を設けてマッサージ道具として使用することを特徴とする。
【発明の効果】
【００１７】
以上から説明したように本発明は、フープの全周のうち、内側の一定の部分に多数設けられる輪部材と、上記多数設けられた輪部材の中央から反対側のフープに設けられてフープに遠心力を提供する重量部材とから構成することにより、使用者がフラフープを腰で回す間、上記重量部材の遠心力によって重量部材が位置したフープ側が常に身体の一番遠い外側に位置した状態で身体周囲を回るようにし、輪などが身体部位に密着されて転がりながら、腰運動と下半身運動及び腰と脇及び腹部位の脂肪を分解させる効果を奏する。
【発明を実施するための最良の形態】
【００１８】
以下、本発明の望ましい実施例を添付された図面に基づいて詳細に説明することにする。
図１の一実施例として図示されたフープ１０は中空形態のプラスチック材からなった円形のリングに形成されており、必要によって、携帯が容易なように通常の方式にフープ１０を複数個の単位体として分割させ、通常のねじ結合手段として組立可能にできる。
【００１９】
また、上記フープ１０は断面が円形であることを例示しているが、デザインによって、四角形及び多角形の断面にすることができる。
【００２０】
上記フープ１０の全周のうち、一定の部分に多数の輪部材２０が一定の間隔に設けられ、上記多数設けられた輪部材２０などの真ん中から反対側のフープ１０には、フープ１０に遠心力を提供すると共に、その遠心力によって上記輪部材２０を構成する輪２６が身体に密着されて転がるようにする重量部材３０が設けられている。
【００２１】
上記輪部材２０はフープ１０に固定される支持桿２２と、上記支持桿２２に固定ピン２４として回転可能に固定される輪２６とから構成される。
【００２２】
上記輪２６はロールタイプの輪を例示しているが、図示省略された球形からなった球体を輪として使用できる。また、上記輪２６には図１２に例示されたように、輪２６の周縁に指圧突起２６ａをさらに形成できる。
【００２３】
上記重量部材３０は図４に図示されたように、ケース３０ａの両側がフープ１０とねじ結合され、ケース３０ａには栓３０ｂが設けられ、これを介して重量体の内容物としては水（３０ｃ）を詰め込む。
【００２４】
上記において、重量体の内容物を水以外に砂に代えることができるが、砂をケースに詰める場合においては、困難性を伴う。
【００２５】
上記のように構成された本発明によると、フープ１０を使用者の腰１００に掛けたまま、フープ１０の一定の部分の内側に設けられた輪部材２０が使用者の腰１００に位置されるようにした後、使用者が腰１００に回転力と反動を与えるにつれて、フープ１０の回転がなし、図５ａ、図５ｂ、図５ｃ、図５ｄに図示されたように、使用者がフープ１０を回す間、重量部材３０の遠心力によって重量部材３０が位置されたフープ１０側が、常に腰１００から一番遠い外側に位置した状態にして腰１００の周囲を回ることになり、この時、輪部材２０を構成する輪２６が腰１００部位に密着されて転がりながら腰と脇及び腹部位を押しながら回ることになる。
【００２６】
これに従って、上記輪２６が常に身体部位から離脱されず、腰と脇及び腹部位を順に密着されながら転がることにより、女性達が各種の瓶など、その他の丸い形態の道具を用いてふくらはぎ部位を転がし、ふくらはぎ美容に用いる効果のように、身体部位の脂肪質を分解させる役割をすることになり、同時にフープ１０を回すことにより、腰運動と共に下半身運動をすることになり、輪２６にのみ身体が当たることになって新たな面白さを有することになる。
【００２７】
一方、図６及び図７は本発明のフラフープの変形例を図示したものである。
図６はアルファベットディー（Ｄ）型のフープ１０を例示したものであって、フープ１０の円弧部内径に輪部材２０が形成されており、この円弧部の両側から連結される直線部に重量部材３０が設けられて構成されたものである。
【００２８】
図７は楕円形のフープ１０を例示したものであり、図１の円形のフープ１０に類似している。
【００２９】
上記のように、通常のフープに輪部材２０と重量部材３０をさらに設けることにより、フープ１０の形状をアルファベットディー（Ｄ）型にしてもフラフープの使用が可能である。これはフープ１０の使用時、使用者の身体部位に輪２６のみが接触されるので、可能である。
【００３０】
例えば、図示しない三角形フープの場合には頂点（ｖｅｒｔｅｘ）部分を弓形にしてこれに輪部材２０を設け、この輪部材２０などの真ん中から反対側の三角形フープの辺（ｓｉｄｅ）部分に重量部材３０を設けて三角形形態のフラフープを構成することができる。
【００３１】
一方、図６及び図７に図示されたフープ１０と図示しないハート型、三角形、四角形及び多角形のフープなども必要によって携帯が容易なように通常の方式にフープ１０を複数個の単位体として分割させ、通常の結合手段として組立可能にすることができる。
【００３２】
これに従って、フープ１０の形状を多様にすることができ、フラフープの多様なデザイン選択によって商品性を高めることができる。
【００３３】
図８乃至図１１は本発明の変形例を図示したものである。
上記フープ５０は第１のフープ５２と第２のフープ５４とから構成され、上記第１のフープ５２と第２のフープ５４は長さ調節ねじ５６を媒介としてねじ結合され、この長さ調節ねじ５６によってフープ５０の全周大きさ調節が可能である。
【００３４】
即ち、図１１に図示されたように、長さ調節ねじ５６を正逆回転させて調節することにより、これを通じてねじ結合された第１のフープ５２が第２のフープ５４として長さ調節がなされ、フープ５０の周り大きさが調節されるものである。
【００３５】
上記第２のフープ５４にはナット５９を介して輪部材５８が多数設けられ、上記第２のフープ５４に多数設けられた輪部材５８などの真ん中から反対側の第１のフープ５２には、フープ５０に遠心力を提供する重量部材３０が設けられて構成される。
【００３６】
上記輪部材５８は図９及び図１０に図示したように、一対のチェーン型支持桿５８ａなどがピン５８ｂとして連結されてチェーン形態をなし、これらの一対のチェーン型支持桿５８ａの間には輪５８ｃが軸５８ｄにより回転可能に設けられて構成される。
【００３７】
図面のうち、説明符号５８ｅは一対のチェーン型支持桿５８ａの間隔を維持させるカラーであり、５８ｆは止めリングを図示したものである。
【００３８】
上記のよう構成された本発明によると、使用者がフープ５０を使用する時、重量部材３０の遠心力によって重量部材３０が位置されたフープ５０側が、常に腰１００から一番遠い外側に位置した状態にして腰１００周囲を回ることになり、この時、チェーン形態に連結された輪部材５８のチェーン型支持桿５８ａなどが遠心力によって動き、輪５８ｃの身体に対する密着力がもっと高まるという効果を奏する。
【００３９】
また、長さ調節ねじ５６を調節してフープ５０の大きさを大きくすることにより、重量部材３０による遠心力が大きくなって運動効果を高めることができる。
【００４０】
図１２は本発明のさらに他の変形例であって、これは第２のフープ５４から輪部材２０を、ナット５９を介して分離させ、これにマッサージ用取っ手６０を設けることにより、図１３のように、別途のマッサージ道具として使用することができるようになる。
【００４１】
即ち、図１３に図示されたように、マッサージ用取っ手６０を両手でつかんで輪部材２０を背の方の腰１００、または首に当ててローリングさせることにより、背の方の腰、または首のマッサージ運動効果を得ることができる。この時、図１３のように、輪２６に指圧突起２６ａが形成されることにより指圧効果をもっと高めることができる。
【００４２】
また、上記図８に図示された輪部材５８を用いることができる。即ち、図８に図示されたように、ナット５９を媒介として第２のフープ５４と組み立てられた輪部材５８を、ナット５９を介して第２のフープ５４と分離させた後、これに上記マッサージ用取っ手６０をねじって、組み立てて上記輪部材５８を図１４のようなマッサージ道具として使用することができる。
【図面の簡単な説明】
【００４３】
【図１】本発明の一実施例のフラフープの正面図。
【図２】図１のＹ部の詳細図。
【図３】図２のＡ方向から見た詳細断面図。
【図４】図１のＺ部の詳細断面図。
【図５ａ】本発明のフラフープの作用状態図。
【図５ｂ】本発明のフラフープの作用状態図。
【図５ｃ】本発明のフラフープの作用状態図。
【図５ｄ】本発明のフラフープの作用状態図。
【図６】本発明のフラフープの変形例の正面図。
【図７】本発明のフラフープの他の変形例の正面図。
【図８】本発明のフラフープのさらに他の変形例の正面図。
【図９】図８のＷ部の詳細図。
【図１０】図９の断面図。
【図１１】図８のＸ部の断面図。
【図１２】本発明のフラフープのさらに他の変形例の一部分離正面図。
【図１３】フラフープを用いたマッサージ道具の使用例示図。
【図１４】フラフープを用いたマッサージ道具の使用例示図。
【符号の説明】
【００４４】
１０，５０      フープ
２０，５８      輪部材
２６，５８ｃ    輪
３０            重量部材
６０            マッサージ用取っ手
【図１】
2004521687.tif 000003
【図２】
2004521687.tif 000004
【図３】
2004521687.tif 000005
【図４】
2004521687.tif 000006
【図５ａ】
2004521687.tif 000007
【図５ｂ】
2004521687.tif 000008
【図５ｃ】
2004521687.tif 000009
【図５ｄ】
2004521687.tif 000010
【図６】
2004521687.tif 000011
【図７】
2004521687.tif 000012
【図８】
2004521687.tif 000013
【図９】
2004521687.tif 000014
【図１０】
2004521687.tif 000015
【図１１】
2004521687.tif 000016
【図１２】
2004521687.tif 000017
【図１３】
2004521687.tif 000018
【図１４】
2004521687.tif 000019
【国際公開パンフレット】
2004521687.tif 000020
2004521687.tif 000021
2004521687.tif 000022
2004521687.tif 000023
2004521687.tif 000024
2004521687.tif 000025
2004521687.tif 000026
2004521687.tif 000027
2004521687.tif 000028
2004521687.tif 000029
2004521687.tif 000030
2004521687.tif 000031
2004521687.tif 000032
2004521687.tif 000033
2004521687.tif 000034
2004521687.tif 000035
2004521687.tif 000036
2004521687.tif 000037
2004521687.tif 000038
2004521687.tif 000039
2004521687.tif 000040
2004521687.tif 000041
2004521687.tif 000042
2004521687.tif 000043
2004521687.tif 000044
2004521687.tif 000045
2004521687.tif 000046
2004521687.tif 000047
2004521687.tif 000048
2004521687.tif 000049
2004521687.tif 000050
2004521687.tif 000051
【国際調査報告】
2004521687.tif 000052
2004521687.tif 000053